(57)【特許請求の範囲】
【請求項１】
水栓本体を経てヘッド部に達する少なくとも２つの流路と、
浅い停止位置と深い停止位置とに交互にストローク可能な押しボタンと、
この押しボタンの両停止位置に応じていずれか１つの流路内の水が下流に流れるように切り換える弁を有するスイッチ機構と、
からなる押しボタン式の流路切換機構を備える水栓において、
上記ヘッド部内にて水平面内で回動自在に支持され、流路の切換状態をヘッド部に設けた透視窓に表示する表示板と、
この表示板と上記押しボタンのいずれか一方に設けた長孔と、他方に設けこの長孔に嵌入するピンとからなり、上記押しボタンのストロークに連動して表示板を水平方向に回動させるスライド部とを有するプッシュスイッチの表示装置を備えたことを特徴とする水栓。
【請求項２】
上記スイッチ機構が、上記押しボタンの停止位置に応じていずれか１つの流路を選択して弁開とすることで流路を切り換える弁を有することを特徴とする請求項１記載の水栓。
【請求項３】
上記スイッチ機構が、上記押しボタンの停止位置に応じて２つの流路のうち圧力損失の小さな流路を開閉することで２つの流路を切り換える弁を有することを特徴とする請求項１記載の水栓。
【請求項４】
上記スライド部の長孔を上記表示板の回動中心部近傍からほぼ半径方向に沿って外側に向かう直線状に穿設したことを特徴とする請求項１乃至３のいずれかに記載の水栓。
【請求項５】
上記スライド部の長孔を上記表示板の回動中心部近傍から外側に向かうくの字状に穿設したことを特徴とする請求項１乃至３のいずれかに記載の水栓。
【請求項６】
上記押しボタンの浅い停止位置で上記ピンが当接する位置に、長孔の孔幅をピンの径より広くした逃がし部分を穿設したことを特徴とする請求項１乃至５のいずれかに記載の水栓。
【発明の詳細な説明】
【技術分野】
【０００１】
本発明は、押しボタンのストロークに連動して、原水と、浄水（または温水）などの切換状態を表示する表示装置を備えた水栓に関する。
【背景技術】
【０００２】
従来、一つの吐出口で例えば浄水流路と原水流路の流路を選択して切り換える流路切換機構には、押しボタンの停止位置に応じて弁開となる流路を切り換えることができるものがある。
【０００３】
このような押しボタン式の流路切換機構を備えた水栓に取り付けられ、使用者が流路の切換状態を視認できるようにするための表示装置として、特許文献１には、押しボタンスイッチの内部に側面形状が扇型の表示回転体が組み込まれ、押しボタンスイッチの操作部に透視窓を設けて、押しボタンスイッチのプッシュ動作に従い動作内容に合う表示を透視窓に出すようになっているものが記載されている。
【０００４】
また、特許文献２には、プッシュボタンを１回プッシュ操作するごとに異なった吐水状態を保持するスラストロック機構を有しており、前記プッシュボタンのプッシュ操作により該スラストロック機構の回転筒に設けた表示部が回転することによって、表示部外側に位置するプッシュボタンに設けた透視窓を通して流路の切換状態を表示するものが記載されている。
【０００５】
さらに、特許文献３には、ケース本体から突出して部材側面に軸孔を穿設した２つの表示体支持部材と、扇型に形成された両側面から前記各軸孔にそれぞれ挿通する軸部材を突出するとともに曲面部に必要な表示内容を表示した可動表示体と、この可動表示体の回動方向先端側に位置する端面に当接する傾斜面形成部材を後端部中央の外面側に突設した押しボタンと、前記表示体支持部材と前記可動表示体との間に介装して前記軸部材を中心に前記可動表示体を前記押しボタン側へ回動するための回転力を与える弾性部材とからなるプッシュスイッチの表示装置で、構成が簡素で、浄水器の吐出口やシャワーヘッドのヘッド部等に適用することができる程度に小型化されたものが記載されている。
【０００６】
さらに、特許文献４には、押しボタンとこの押しボタンの動作に連動して表示面の向きを変化させる可動表示体とからなり、前記押しボタンの外面と前記可動表示体の当接部との当接離間動作により、前記押しボタンの往復動に対して前記可動表示体の表示面の変向動作を連動させたことにより、弾性部材を使用せずに流路の切換状態を表示することができる表示装置が記載されている。
【０００７】
【特許文献１】特開２０００−２９９０３０号公報
【特許文献２】特開２００４−２５０８９４号公報
【特許文献３】特開２００４−０８２０３１号公報
【特許文献４】特開２００５−０８７８８６号公報
【発明の開示】
【発明が解決しようとする課題】
【０００８】
このような従来の技術のうち、特許文献１、３及び４においては、底面を扇形とする筒状に形成した表示体が、要部分にある水平方向の回転軸を中心に回動するため、表示体の体積及び表示体曲面部に位置する表示部の面積が押しボタンのストロークに設計上大きく拘束され、十分な表示面積を確保できないという問題点があった。
【０００９】
また、特許文献２においても、円柱状の回転筒の底面部に設けた表示部が一方向にのみ回転する構造であるため、表示部のうち透視窓を通して流路の切換状態を表示する部分の面積はごく一部に限られ、やはり十分な表示面積を確保できないという問題点があった。
【００１０】
本発明の課題は、押しボタンのストロークに表示部の表示面積が制限されにくい構造にすることで、十分な表示面積を確保し、視認性の良好なプッシュスイッチの表示装置を備えた水栓を提供することにある。
【００１１】
また、他の課題は、押しボタンのストローク上死点と深い停止位置との間の余剰移動及び浅い停止位置におけるがたつきといった動作に連動して表示板が余分に回動し表示部が見づらくなることを防止し、確実な表示内容を提供するプッシュスイッチの表示装置を備えた水栓を提供することにある。
【課題を解決するための手段】
【００１２】
本発明において、前記課題が解決される手段は以下の通りである。
水栓に係る第１の発明は、水栓本体を経てヘッド部に達する少なくとも２つの流路と、浅い停止位置と深い停止位置とに交互にストローク可能な押しボタンと、この押しボタンの両停止位置に応じていずれか１つの流路内の水が下流に流れるように切り換える弁を有するスイッチ機構と、からなる押しボタン式の流路切換機構を備える水栓において、上記ヘッド部内にて水平面内で回動自在に支持され、流路の切換状態をヘッド部に設けた透視窓に表示する表示板と、この表示板と上記押しボタンのいずれか一方に設けた長孔と、他方に設けこの長孔に嵌入するピンとからなり、上記押しボタンのストロークに連動して表示板を水平方向に回動させるスライド部とを有するプッシュスイッチの表示装置を備えたことを特徴とする。
【００１３】
第２の発明は、第１の発明において、上記スイッチ機構が、上記押しボタンの停止位置に応じていずれか１つの流路を選択して弁開とすることで流路を切り換える弁を有することを特徴とする。
【００１４】
第３の発明は、第１の発明において、上記スイッチ機構が、上記押しボタンの停止位置に応じて２つの流路のうち圧力損失の小さな流路を開閉することで２つの流路を切り換える弁を有することを特徴とする。
【００１５】
第４の発明は、第１乃至第３の発明のいずれかにおいて、上記スライド部の長孔を上記表示板の回動中心部近傍からほぼ半径方向に沿って外側に向かう直線状に穿設したことを特徴とする。
【００１６】
第５の発明は、第１乃至第３の発明のいずれかにおいて、上記スライド部の長孔を上記表示板の回動中心部近傍から外側に向かうくの字状に穿設したことを特徴とする。
【００１７】
第６の発明は、第１乃至第５の発明のいずれかにおいて、上記押しボタンの浅い停止位置で上記ピンが当接する位置に、長孔の孔幅をピンの径より広くした逃がし部分を穿設したことを特徴とする。
【発明の効果】
【００１８】
第１の発明によれば、水栓本体を経てヘッド部に達する少なくとも２つの流路と、浅い停止位置と深い停止位置とに交互にストローク可能な押しボタンと、この押しボタンの両停止位置に応じていずれか１つの流路内の水が下流に流れるように切り換える弁を有するスイッチ機構と、からなる押しボタン式の流路切換機構を備える水栓において、上記ヘッド部内にて水平面内で回動自在に支持され、流路の切換状態をヘッド部に設けた透視窓に表示する表示板と、この表示板と上記押しボタンのいずれか一方に設けた長孔と、他方に設けこの長孔に嵌入するピンとからなり、上記押しボタンのストロークに連動して表示板を水平方向に回動させるスライド部とを有するプッシュスイッチの表示装置を備えたことにより、表示板が水平面内で回動するため、表示面積を押しボタンのストロークに制限されにくくすることができる。これにより、表示板の表示面積を大きく確保することができ、表示内容の視認性を向上させることができる。
【００１９】
第２の発明によれば、上記押しボタンの停止位置に応じていずれか１つの流路を選択して弁開とすることで流路を切り換える弁を有することにより、押しボタンの停止位置に応じた流路の切り換えを確実に行うことができる。
【００２０】
第３の発明によれば、上記スイッチ機構が、上記押しボタンの停止位置に応じて２つの流路のうち圧力損失の小さな流路を開閉することで２つの流路を切り換える弁を有することにより、２つの流路の圧力損失の違いを利用して、圧力損失の小さな流路を開閉するだけで２つの流路を切り換えることができる。これにより、弁機構の構造を簡素化することができる。
【００２１】
第４の発明によれば、上記スライド部の長孔を上記表示板の回動中心部近傍からほぼ半径方向に沿って外側に向かう直線状に穿設したことにより、押しボタンのストロークに連動して表示板を確実に回動させる力を与え、第１の発明の効果を確実に達成することができる。
【００２２】
第５の発明によれば、上記スライド部の長孔を上記表示板の回動中心部近傍から外側に向かうくの字状に穿設したことにより、押しボタンをストロークさせる際の、深い停止位置とストローク上死点との間での押しボタンの余剰移動分を表示板の回動に反映させなくすることができる。これにより、適切な表示箇所が透視窓を一旦通り過ぎて所定の停止位置に戻るというような表示板の余分な動きを無くすことができ、透視窓には常に適切な表示箇所を表示することができて、使用者に確実な表示内容を提供することができる。
【００２３】
第６の発明によれば、上記押しボタンの浅い停止位置で上記ピンが当接する位置に、長孔の孔幅をピンの径より広くした逃がし部分を穿設したことにより、浅い停止位置での押しボタンのがたつきを表示板の回動に反映させなくすることができる。これにより、押しボタンのがたつきに連動して表示板ががたつくことを防止し、透視窓には常に適切な表示箇所を表示することができ、使用者に確実な表示内容を提供することができる。
【発明を実施するための最良の形態】
【００２４】
以下、本発明の実施の形態にかかるプッシュスイッチの表示装置を備えたシャワーヘッドを説明する。
図１から図３に示すように、流路切換表示付きシャワーヘッドのヘッド部１は、ヘッド本体２の外壁上面の略中央部に表示板５を支持するための表示板支持部材３を設け、外壁前面側中央に押しボタン４を配置し、この表示板支持部材３及び押しボタン４の上部に表示板５を取り付けた状態で、外面を覆うヘッドカバー６を取り付けて構成される。
【００２５】
図９に示すように、押しボタン４は、ヘッド本体２内部に配置したコイルスプリング２１、２８及びこのコイルスプリング２１とコイルスプリング２８との間に位置するスラストロック機構７により、浅い停止位置と深い停止位置を交互にストロークするよう構成されている。
また、図６に示すように、ヘッド本体２内には各別に構成された原水流路２２と浄水流路２３の２つの流路と弁機構を有し、押しボタン４の停止位置によって弁開となり吐水する流路を切り換えることができるようになっている。
その他の実施態様として、たとえば原水・温水の２つの流路を押しボタンによって切り換えることのできる水栓に構成してもよい。
【００２６】
図３に示すように、表示板支持部材３上面には上方に突出した円柱状の軸部材３１を設け、軸部材３１の奥側には、同じく上方に突出したストッパー３２を設ける。
軸部材３１は表示板５の軸孔５３に軸通されて、表示板５の回動の中心となる。
【００２７】
図４に示すように、押しボタン４には、上面に上案内板４１、右側面に右案内板４２、左側面に左案内板４３を、奥側に向かってそれぞれ突設する。上案内板４１、右案内板４２、及び左案内板４３はヘッド本体２外面に当接し、ストロークの際に押しボタン４を押し込み方向へ案内するガイドとなる。
また、浅い停止位置で上記軸部材３１の側方近傍となる上案内板４１上面の部位に、表示板５との取り付け部分となるピン４１ａを設ける。
【００２８】
図５に示すように、表示板５は全体として略扇状で、下方に傾斜する湾曲面である表示部５１と、略円盤状の結合部５２を有する板材からなる。
表示部５１には、異なる切換状態を表示する表示５１ａ、５１ｂが左右に分けて設けられている。
結合部５２には、表示板５の要部分に前記軸部材３１を軸通する軸孔５３を穿設し、軸孔５３近傍には上案内板４１のピン４１ａとスライドする長孔５４を穿設し、表示部５１と反対方向の端部には切欠き部５５を設ける。図２に示すように、この軸孔５３に前記軸部材３１を軸通させ、この長孔５４に前記ピン４１ａを嵌入させることで、表示板５を表示板支持部材３及び押しボタン４の上部に取り付ける。
【００２９】
上記長孔５４は、押しボタン４の浅い停止位置で軸孔５３に近い側から途中まで半径方向に沿ってのびる直線部５４ａと、途中でわずかに奥方向に折れ曲がった屈折部５４ｂを設けた、くの字状に穿設する。これにより、表示板５を表示板支持部材３及び押しボタン４に取り付けた状態で押しボタン４を深い停止位置にストロークしたとき、前記ピン４１ａの押し込み方向奥に屈折部５４ｂが位置し、押しボタン４のストローク上死点までの余剰移動分に表示板５の回動を連動させないようにする。
また、浅い停止位置でピン４１ａが当接する直線部５４ａも、幅をピン４１ａの径より広めに穿設して逃がし部分を設け、浅い停止位置での押しボタン４のがたつきに表示板５が連動しないようにする。
【００３０】
前記切欠き部５５の両端は、それぞれ押しボタン４の浅い停止位置または深い停止位置で表示板支持部材３のストッパー３２と当接することで、表示板５が所定の角度以上回動してしまい表示５１ａ、５１ｂが見づらくなることを防止する。
【００３１】
図１、図２に示すように、表示板支持部材３及び押しボタン４に表示板５を取り付けた状態で取り付けられるヘッドカバー６には、押しボタン４を外部から操作可能に貫通させる孔６１を穿設する。また、前記孔６１の上方には透視窓６２を設け、表示５１ａ、５１ｂのうち現在の流路の切換状態を表示する片方のみが透視窓６２を通して表示されるようにする。
【００３２】
図６に示すように、ヘッド本体２内部にはフィルター９を備え、原水流路２２とこのフィルター９を通過した浄水の浄水流路２３とが各別の遮断弁２４、２５にそれぞれ連通する。各遮断弁の下流側は１つの集合部に形成され、この集合部は吐出口に連通する。遮断弁２４、２５の弁座２４ａ、２５ａは左右に並んで、押しボタン４の押し込み方向に相対的にずれた位置に配置されており、押しボタン４の押し込み量によって一方の弁のみが開かれるようになっている。
このように構成したことにより、押しボタン４の停止位置に応じて流路の切り換えを確実に行うことができる。
【００３３】
図９に示すように、弁体２４ｂ、２５ｂは鉄球等の硬い球体に形成し、それぞれ弁座２４ａ、２５ａに載せることにより遮断弁２４、２５を弁閉にする。
押しボタン４と遮断弁２４、２５との間には２本のプッシュロッド２６を備えた切換軸２７を設け、押しボタン４を押し込むと切換軸２７によって弁体２４ｂ、２５ｂが押し込み方向に押し込まれるようにする。
切換カバー２９には、切換軸２７及びプッシュロッド２６を挿通する孔を中央及び両脇に設けて、切換軸２７の奥に配置する。また、切換カバー２９のプッシュロッド挿通孔とヘッド本体２に設けたプッシュロッド挿通孔との間に、Ｏリング８を介装する。
【００３４】
切換軸２７の手前には、切換リング７１、第１切換こま７２、第２切換こま７３を組み合わせてなるスラストロック機構７を配置する。
【００３５】
図１０に示すように、切換リング７１は、円筒の周上に浅い溝７１ａと深い溝７１ｂを交互に各３本刻設し、溝でない部分の先端を傾斜させて形成する。図１１に示すように、第１切換こま７２は細軸部７２ａと太軸部７２ｂからなり、軸方向にのびる３本のリブ７２ｃを太軸部外周に等間隔に設置し、このリブ７２ｃの先端面は前記切換リング７１の先端の傾斜面と同じ方向に傾斜させる。図１２に示すように、第２切換こま７３は、一端には第１切換こま７２の細軸部７２ａが回転可能に挿入され、他端には押しボタン４の内側中央部に突出した位置決め支持棒４４が挿入される円筒状の部材に形成し、第１切換こま７２側の外周には、等間隔に６本のリブ７３ａを設置するとともに端面に傾斜した凹部７３ｂを形成する。
【００３６】
切換軸２７より奥のヘッド本体２内中央にはコイルスプリング２１を配置して、切換軸２７をヘッド本体２から離間する方向へばね付勢する。また、押しボタン４とスラストロック機構７との間にもコイルスプリング２８を配置して、スラストロック機構７をヘッド本体２の奥側へばね付勢する。
【００３７】
以下、このように形成した流路切換表示付きシャワーヘッドにおける、プッシュ操作に伴う流路の切り換え及び流路の表示の切り換えについて説明する。
押しボタン４の浅い停止位置では浄水流路２３の弁座２５ａに弁体２５ｂが押し付けられて弁閉となっており、原水流路２２では弁体２４ｂが弁座２４ａからずれており遮断弁２４が開いて原水が集合部に連通している。スラストロック機構７では、第１切換こま７２のリブ７２ｃが切換リング７１の深い溝７１ｂに嵌合している。一方ヘッド本体２上側では、表示板支持部材３上面に設けた軸部材３１と押しボタン４のピン４１ａが近傍にあり、表示板５の右側の表示５１ａがヘッド本体２中央に位置しており、右側の表示内容（たとえば、「原水」）が透視窓６２を通して視認できる（図８（ａ））。
【００３８】
この状態でコイルスプリング２１の付勢力に抗して押しボタン４をプッシュ操作すると、第１切換こま７２のリブ７２ｃが切換リング７１の深い溝７１ｂを摺動して、溝から外れるまで移動すると（ストローク上死点）、第２切換こま７３に押されている第１切換こま７２は当接している第２切換こま７３の先端の傾斜面の形状に従って回転し、第２切換こま７３の前記凹部７３ｂに当接して止まる。その後、コイルスプリング２１の付勢力によって第１切換こま７２及び第２切換こま７３が押し戻され、第１切換こま７２のリブ７２ｃが再び切換リング７１の傾斜面に当接して回転し、浅い溝７１ａに嵌まるところで位置固定される（深い停止位置）。
【００３９】
この際、押しボタン４上に設けた前記ピン４１ａも押し込み方向へ移動し、このピン４１ａと軸部材３１は徐々に遠ざかる。ピン４１ａは軸部材３１から遠い直線部５４ａの外側へとスライドし、結果として表示板５を逆時計回りに回動させる力を与える。
表示板５を回動させながらスライドした結果、押しボタン４が深い停止位置まで押し込まれた状態では前記ピン４１ａは長孔５４の曲がり角部にさしかかり、ピン４１ａの押し込み方向に長孔５４の屈折部５４ｂが位置する。このとき、表示板５の左側の表示５１ｂがヘッド本体２中央に位置しており、左側の表示内容（たとえば、「浄水」）が透視窓６２を通して視認できる（図８（ｂ））。
押しボタン４の深い停止位置からストローク上死点までの押し込み及びストローク上死点から深い停止位置までの戻りの間、前記ピン４１ａは押し込み方向に位置する屈折部５４ｂをスライドして押し込み方向に行き来するのみで、表示板５を回転させる力を与えない。このため、透視窓６２には常に左側の表示５１ｂの表示内容が適切な位置で表示される（図８（ｃ）（ｄ））。
【００４０】
押しボタン４が深い停止位置で固定された状態では、原水流路２２の弁座２４ａに弁体２４ｂが押し付けられて弁閉となっており、浄水流路２３では弁体２５ｂが弁座２５ａからずれており遮断弁２５が開いて浄水が集合部に連通している。スラストロック機構７では、第１切換こま７２のリブ７２ｃが切換リング７１の浅い溝７１ａに嵌合している。一方ヘッド本体２上側では、表示板５の左側の表示５１ｂがヘッド本体２中央に位置しており、左側の表示内容が透視窓６２を通して視認できる（図８（ｄ））。
【００４１】
押しボタン４が深い停止位置で固定された状態で押しボタン４をプッシュ操作すると、第１切換こま７２のリブ７２ｃが切換リング７１の浅い溝７１ａを摺動して、ストローク上死点で溝から外れるまで移動すると、第２切換こま７３に押されている第１切換こま７２は当接している第２切換こま７３の傾斜面の形状に従って回転し、第２切換こま７３の前記凹部７３ｂに当接して止まる。その後、コイルスプリング２１の付勢力によって第１切換こま７２及び第２切換こま７３が押し戻され、第１切換こま７２のリブ７２ｃが再び切換リング７１の傾斜面に当接して回転し、深い溝７１ｂに嵌まるところで位置固定される（浅い停止位置）。
【００４２】
この際、押しボタン４上に設けた前記ピン４１ａも一旦ストローク上死点まで移動するが、前記ピン４１ａは押し込み方向に位置する屈折部５４ｂをスライドして押し込み方向に行き来するのみで、表示板５を回動させる力を与えない（図８（ｅ））。ストローク上死点から深い停止位置までの戻りの間も同様である。
押しボタン４が深い停止位置まで押し戻された状態では前記ピン４１ａは長孔５４の曲がり角部にさしかかり、深い停止位置から浅い停止位置までの戻りの間、前記ピン４１ａは軸部材３１に近い直線部５４ａの内側へとスライドし、結果として表示板５を時計回りに回動させる力を与える（図８（ｅ）（ｆ））。
【００４３】
上記実施の形態では図８に示すようにスライド部の長孔５４をくの字状に穿設して構成したが、図７に示すように直線状の長孔を設けてもよい。
この場合、押しボタン４の深い停止位置からストローク上死点までの押し込みおよびストローク上死点から深い停止位置までの戻りの間も、前記ピン４１ａが表示板を回動させる力を与えるため、その間透視窓６２には、左側の表示の表示内容がわずかにずれた状態で表示されることになる（図７（ｃ））が、押しボタン４が深い停止位置で固定された状態では、左側の表示の表示内容が適切な位置で表示される（図７（ｄ））。押しボタン４を浅い停止位置に復帰させる際も同様である（図７（ｅ）（ｆ））。
【００４４】
図７に示す実施の形態では、ヘッド部１内にて水平面内で回動自在に支持され、流路の切換状態をヘッドカバー６に設けた透視窓６２に表示する表示板と、この表示板に設けた長孔と押しボタン４に設けこの長孔に嵌入するピン４１ａとからなり、上記押しボタン４のストロークに連動して表示板を水平方向に回動させるスライド部とを備えたことにより、表示板が水平面内で回動するため、表示面積を押しボタン４のストロークに制限されにくくすることができる。これにより、表示板の表示面積を大きく確保することができ、表示内容の視認性を向上させることができる。
【００４５】
また、図８に示す実施の形態では、スライド部の長孔５４を表示板５の回動中心部（軸孔５３）近傍から外側に向かうくの字状に穿設したことにより、押しボタン４をストロークさせる際の、深い停止位置とストローク上死点との間での押しボタン４の余剰移動分を表示板５の回動に反映させなくすることができる。これにより、表示板５の表示面積を大きく確保できるとともに、図７に示す直線状の長孔を設けた場合に生じていた、適切な表示箇所が透視窓６２を一旦通り過ぎて所定の停止位置に戻るというような表示板の余分な動きを無くすことができ、透視窓６２には常に適切な表示箇所を表示することができ、使用者に確実な表示内容を提供することができる。
【００４６】
また、前記押しボタン４の浅い停止位置で前記ピン４１ａが当接する位置に、長孔５４の直線部５４ａの孔幅をピン４１ａの径より広く穿設して逃がし部分を設けたことにより、浅い停止位置での押しボタン４のがたつきを表示板５の回動に反映させなくすることができる。これにより、押しボタン４のがたつきに連動して表示板５ががたつくことを防止し、透視窓６２には常に適切な表示箇所を表示することができ、使用者に確実な表示内容を提供することができる。
【００４７】
[別形態]
なお、上記実施の形態では、表示板５を水平方向に回動させるスライド部を、表示板５に設けた長孔５４と押しボタン４に設けたピン４１ａとによって構成したが、表示板にピンを設け、押しボタンに長孔を設けてもよい。
また、上記実施の形態では、表示板５を回動自在に支持する軸を、表示板支持部材３に設けた軸部材３１と表示板５に穿設した軸孔５３とによって構成したが、表示板支持部材に軸孔を穿設し、表示板に軸部材を設ける構成としてもよい。
また、上記実施の形態では、原水流路２２を遮断する遮断弁２４と、浄水流路２３を遮断する遮断弁２５とによって流路を切り換える構成としたが、原水流路と浄水流路のうち、圧力損失の小さな流路のみに遮断弁を設ける構成としてもよい。このような流路切換機構に構成することで、弁機構の構造を簡素化することができる。
【図面の簡単な説明】
【００４８】
【図１】本発明の実施の形態にかかるシャワーヘッドのヘッド部を示す図であり、（ａ）は側面図、（ｂ）は斜視図である。
【図２】ヘッド部の、ヘッドカバーを外した状態を示す図であり、（ａ）は斜視図、（ｂ）は側面図である。
【図３】図２から表示板を外した状態を示す斜視図である。
【図４】押しボタンを示す図であり、（ａ）は平面図、（ｂ）はＡ−Ａ断面図、（ｃ）は側面図、（ｄ）は斜視図である。
【図５】表示板を示す図であり、（ａ）は平面図、（ｂ）は背面図、（ｃ）は側面図、（ｄ）は斜視図、（ｅ）はＢ−Ｂ拡大断面図、（ｆ）は長孔の拡大図である。
【図６】ヘッド部内を示す縦断面図である。
【図７】表示板の長孔を直線状に形成した場合の、表示の切換を示す図であり、（ａ）は浅い停止位置の図、（ｂ）は深い停止位置まで押し込んだ図、（ｃ）はストローク上死点まで押し込んだ図、（ｄ）は深い停止位置で固定された図、（ｅ）は深い停止位置からストローク上死点まで押し込んだ図、（ｆ）は浅い停止位置まで戻った図である。
【図８】本発明の実施の形態にかかるシャワーヘッドの表示の切換を示す図であり、（ａ）は浅い停止位置の図、（ｂ）は深い停止位置まで押し込んだ図、（ｃ）はストローク上死点まで押し込んだ図、（ｄ）は深い停止位置で固定された図、（ｅ）は深い停止位置からストローク上死点まで押し込んだ図、（ｆ）は浅い停止位置まで戻った図である。
【図９】ヘッド本体内の分解斜視図である。
【図１０】切換リングを示す図であり、（ａ）は平面図、（ｂ）左側面図、（ｃ）は正面図、（ｄ）は右側面図、（ｅ）は底面図である。
【図１１】第１切換こまを示す図であり、（ａ）は平面図、（ｂ）左側面図、（ｃ）は正面図、（ｄ）は右側面図、（ｅ）は底面図である。
【図１２】第２切換こまを示す図であり、（ａ）は平面図、（ｂ）左側面図、（ｃ）は正面図、（ｄ）は右側面図、（ｅ）は底面図である。
【符号の説明】
【００４９】
１  （シャワーヘッドの）ヘッド部
２  ヘッド本体
３  表示板支持部材
４  押しボタン
５  表示板
６  ヘッドカバー
７  スラストロック機構
８  Ｏリング
９  フィルター
２１  コイルスプリング
２２  原水流路
２３  浄水流路
２４  遮断弁
２４ａ  弁座
２４ｂ  弁体
２５  遮断弁
２５ａ  弁座
２５ｂ  弁体
２６  プッシュロッド
２７  切換軸
２８  コイルスプリング
２９  切換カバー
３１  軸部材
３２  ストッパー
４１  上案内板
４１ａ  ピン
４２  右案内板
４３  左案内板
４４  位置決め支持棒
５１  表示部
５１ａ、５１ｂ  表示
５２  結合部
５３  軸孔
５４  長孔
５４ａ  直線部
５４ｂ  屈折部
５５  切欠き部
６１  孔
６２  透視窓
７１  切換リング
７１ａ  浅い溝
７１ｂ  深い溝
７２  第１切換こま
７２ａ  細軸部
７２ｂ  太軸部
７２ｃ  リブ
７３  第２切換こま
７３ａ  リブ
７３ｂ  凹部
【図１】
0005086107.tif 000002
【図２】
0005086107.tif 000003
【図３】
0005086107.tif 000004
【図４】
0005086107.tif 000005
【図５】
0005086107.tif 000006
【図６】
0005086107.tif 000007
【図７】
0005086107.tif 000008
【図８】
0005086107.tif 000009
【図９】
0005086107.tif 000010
【図１０】
0005086107.tif 000011
【図１１】
0005086107.tif 000012
【図１２】
0005086107.tif 000013